(57)【要約】【課題】アタッチメントの開口に至る風路途中において空気漏れを起こすことなく、無駄なく効率的に排出空気を吹き出すことができる電気掃除機を提供する。【解決手段】電動送風機が設けられ吸引口と排気口を有する本体と、一端側が吸引口に接続され塵埃を含んだ空気を本体内部に導く風路の一部となる、あるいは一端側が排気口に接続され排出空気をエアブローとして本体外部に導く風路の一部となるホース体と、ホース体の他端側に接続される管体と、管体と接続される延長管と、一端に第１の開口、他端に第２の開口が設けられ、第１と第２の開口とを連通する風路を有し、第１の開口側が管体あるいは延長管と接続されるアタッチメントとを備え、アタッチメントの第２の開口寄りの位置に先端部材が取り付けられ、先端部材が取り付けられている箇所において、アタッチメントの風路と外部空間を連通させる開口は第２の開口だけである。【選択図】図２２
2020124646.tif 000002
【特許請求の範囲】
【請求項１】
内部に塵埃を含んだ空気を吸い込むための気流を発生させる電動送風機が設けられ、空気を内部に吸込む吸引口と、吸込んだ空気を外部へ排出する排気口を有する本体と、
前記空気に含まれた前記塵埃を分離して収容するための集塵部と、
一端側が前記本体の前記吸引口に接続され、塵埃を含んだ空気を前記本体内部に導く風路の一部となる、あるいは一端側が前記本体の前記排気口に接続され、排出される空気をエアブローとして前記本体外部に導く風路の一部となるホース体と、
該ホース体の他端側に接続される、手元ハンドル部を有する通気可能な管体と、
該管体と着脱可能に接続される延長管と、
一端に第１の開口、及び他端に第２の開口が設けられ、前記第１の開口と前記第２の開口とを連通する風路を有し、前記第１の開口側が前記管体あるいは前記延長管と着脱可能に接続されるアタッチメントと、を備え、
前記アタッチメントの前記第２の開口寄りの位置に、前記アタッチメントの外郭から、前記アタッチメントの長手方向と直交する方向の外側に突出した回動軸が設けられるとともに前記アタッチメントの外殻により前記アタッチメントの風路と前記アタッチメントの外部空間とが隔絶され、
前記回動軸に嵌め合わされる軸受け穴を有し、前記回動軸を中心に回動可能に前記アタッチメントに支持される先端部材が取り付けられていて、
前記アタッチメントの前記先端部材が取り付けられている箇所において、前記アタッチメントの風路と外部空間を連通させる開口は前記第２の開口だけであり、
前記先端部材の、前記アタッチメントの前記第２の開口側となる端部に植毛が設けられ、
前記アタッチメントに、前記回動軸の中心から一定の距離となる位置に突出部が設けられ、
前記先端部材には、該先端部材が前記アタッチメントに支持されたとき、前記回動軸の中心から一定の距離となる位置に前記突出部と係合する係合穴が設けられ、
前記先端部材を回動させると、前記突出部に前記係合穴が係合し、前記先端部材の回動を規制して保持し、
前記先端部材の回動が規制されている１つの位置において、前記アタッチメントの長手方向から前記第２の開口を見たとき、前記植毛は前記第２の開口と重ならないように設けられている電気掃除機。
【請求項２】
前記管体に操作部を備え、
該操作部は、前記ホース体が前記本体の前記吸引口あるいは前記排気口に接続されることで前記ホース体を介して、電動送風機の駆動及び停止を制御する前記本体内部に設けられた制御基板と電気的に接続され、電動送風機の駆動及び停止を操作する請求項１に記載の電気掃除機。
【請求項３】
前記先端部材が前記アタッチメントに回動可能に支持された状態で、前記係合穴を前記回動軸の中心から一定の距離となる位置の同心円上に複数設け、前記先端部材の回動を複数の位置で規制して保持する請求項１項に記載の電気掃除機。
【請求項４】
前記アタッチメントは伸縮可能で、前記風路を形成する内部風路部材と該内部風路部材の外側に摺動可能に設けられた外部風路部材とで構成され、前記内部風路部材あるいは前記外部風路部材を摺動させることで前記アタッチメントを伸ばすと、前記外部風路部材が延長された風路を形成するようになり、前記先端部材は前記内部風路部材あるいは前記外部風路部材の何れかに取り付けられている請求項１から請求項３何れか１項に記載の電気掃除機。
【請求項５】
前記先端部材に、少なくとも前記アタッチメントの前記突出部と前記先端部材の前記係合穴が係合し、前記先端部材の回動が規制された位置で、前記先端部材と前記アタッチメントの間にできる空間の通気を規制する規制リブを設けた請求項１に記載の電気掃除機。
【請求項６】
前記先端部材の外壁に、凸状の指掛け部を設けた請求項１から請求項５何れか１項に記載の電気掃除機。
【請求項７】
前記アタッチメントの前記第２の開口寄りの外郭に、前記回動軸の中心と同心である円弧状リブを設けた請求項１から請求項６何れか１項に記載の電気掃除機。
【請求項８】
前記先端部材の、前記アタッチメントの前記第２の開口側となる第１の端部に植毛が設けられ、前記先端部材を１８０度回動したときに、前記アタッチメントの前記第２の開口側となる第２の端部に、第１の端部に設けられた植毛と異なる長さの植毛を設けた請求項１から請求項４何れか１項に記載の電気掃除機。
【請求項９】
前記先端部材の、前記アタッチメントの前記第２の開口側となる第１の端部に植毛が設けられ、前記先端部材を１８０度回動したときに、前記アタッチメントの前記第２の開口側となる第２の端部に、第１の端部に設けられた植毛と異なる硬さの植毛を設けた請求項１から請求項４何れか１項に記載の電気掃除機。
【発明の詳細な説明】
【技術分野】
【０００１】
本発明は電気掃除機に関する。
【背景技術】
【０００２】
本体内部に塵挨を含んだ空気を吸引するための吸引風を生じさせる電動送風機を備え、この電動送風機により生み出された気流を本体外部に排気する排気部に、塵挨を本体まで導く為のホースの接続管を接続して、本体から排出される排出空気をエアブローに用いることが可能なエアブロー機能を有する電気掃除機がある（例えば、特許文献１参照）。
【先行技術文献】
【特許文献】
【０００３】
【特許文献１】特許第５６３６７４３号公報（第５頁、図７）
【発明の概要】
【発明が解決しようとする課題】
【０００４】
従来の電気掃除機では、高所の清掃を行うとき、ホースの端部に高所清掃用のアタッチメントを接続し塵挨を含んだ空気を吸引するようにしている。高所清掃用のアタッチメントは吸引風路を延長する通気可能な部品で、一端にホースと接続するための開口と、他端に塵挨を含んだ空気を吸引するための開口とを有している。
【０００５】
吸引側の開口近くのアタッチメント外郭には、高所において希望する方向に吸引する空気の向きを変えることができる先端部材が回動可能に取り付けられている。先端部材は、アタッチメントに設けられた回動軸の周りに一部を残して穴を開けることにより、その残した一部の弾性によって回動軸を撓ませて取り付けるようにしている。この穴は通気可能である。
【０００６】
高所清掃において、アタッチメントの先端部材の取り付け箇所に通気可能な穴が開いているので、アタッチメントの吸引するための開口以外からも空気を吸引してしまうため、効率よく塵挨を含んだ空気を吸引できていない、という課題がある。
【０００７】
また、吸引ではなくエアブローにより塵挨を吹き飛ばそうとするときにも高所清掃用のアタッチメントが必要になり、電気掃除機本体からの排出空気を該当箇所に向けてアタッチメントの開口から吹き出すことになるが、先端部材の取り付け箇所に通気可能な穴が開いているので排出空気の一部がその穴から漏れてしまい、アタッチメントの開口から吹き出される排出空気の勢いが弱くなるため、アタッチメントを使用するときには、排出空気を効率的に利用することができない、という課題がある。
【０００８】
本発明は、かかる課題を解決するために、アタッチメントの開口に至る風路の途中において空気漏れを起こすことなく、アタッチメントの開口から無駄なく効率的に排出空気を吹き出すことができる電気掃除機を提供することを目的とする。
【課題を解決するための手段】
【０００９】
課題を解決する本発明に係る電気掃除機は、内部に塵埃を含んだ空気を吸い込むための気流を発生させる電動送風機が設けられ、空気を内部に吸込む吸引口と、吸込んだ空気を外部へ排出する排気口を有する本体と、空気に含まれた塵埃を分離して収容するための集塵部と、一端側が本体の吸引口に接続され、塵埃を含んだ空気を本体内部に導く風路の一部となる、あるいは一端側が本体の排気口に接続され、排出される空気をエアブローとして本体外部に導く風路の一部となるホース体と、ホース体の他端側に接続される、手元ハンドル部を有する通気可能な管体と、管体と着脱可能に接続される延長管と、一端に第１の開口、及び他端に第２の開口が設けられ、第１の開口と第２の開口とを連通する風路を有し、第１の開口側が管体あるいは延長管と着脱可能に接続されるアタッチメントと、を備え、アタッチメントの第２の開口寄りの位置に、アタッチメントの外郭から、アタッチメントの長手方向と直交する方向の外側に突出した回動軸が設けられるとともにアタッチメントの外殻によりアタッチメントの風路とアタッチメントの外部空間とが隔絶され、回動軸に嵌め合わされる軸受け穴を有し、回動軸を中心に回動可能にアタッチメントに支持される先端部材が取り付けられていて、アタッチメントの先端部材が取り付けられている箇所において、アタッチメントの風路と外部空間を連通させる開口は第２の開口だけであり、先端部材の、アタッチメントの第２の開口側となる端部に植毛が設けられ、アタッチメントに、回動軸の中心から一定の距離となる位置に突出部が設けられ、先端部材には、該先端部材がアタッチメントに支持されたとき、回動軸の中心から一定の距離となる位置に突出部と係合する係合穴が設けられ、先端部材を回動させると、突出部に係合穴が係合し、先端部材の回動を規制して保持し、先端部材の回動が規制されている１つの位置において、アタッチメントの長手方向から第２の開口を見たとき、植毛は第２の開口と重ならないように設けられているものである。
【発明の効果】
【００１０】
本発明によれば、アタッチメントの先端部材が取り付けられている箇所において、アタッチメントの風路と外部空間を連通させる開口は第２の開口だけにしたので、吸引に使用する場合は、塵挨を含んだ空気を吸引するための第２の開口以外から空気を吸引することがなく、塵挨を含んだ空気を吸引するために全ての吸引力を用いることができる。
【００１１】
また、エアブローに使用する場合は、本体からの排出空気がアタッチメントの第２の開口に至る風路の途中で漏れることがない。よって、アタッチメントを使用しても本体からの排出空気を無駄なくエアブローに用いることができる。
【図面の簡単な説明】
【００１２】
【図１】本発明の実施の形態１に係る電気掃除機の概略構成を示す斜視図である。
【図２】本発明の実施の形態１に係る電気掃除機に吸込み具を装着した構成を示す斜視図である。
【図３】本発明の実施の形態１に係る電気掃除機本体の側面図である。
【図４】本発明の実施の形態１に係る電気掃除機本体の中心を前後方向で切断し側面から見た断面図である。
【図５】本発明の実施の形態１に係る電気掃除機の操作部の部分拡大図である。
【図６】本発明の実施の形態１に係る電気掃除機本体から集塵ユニットを少し引き出した状態を示す斜視図である。
【図７】（ａ）本発明の実施の形態１に係る電気掃除機のホース体の接続部を係止用フックの側から見た部分詳細図、（ｂ）本発明の実施の形態１に係る電気掃除機のホース体の接続部を係止用フックが上側にあるときに側方から見た部分詳細図、（ｃ）本発明の実施の形態１に係る電気掃除機のホース体の接続部を本体と連通する側から見た図である。
【図８】本発明の実施の形態１に係る電気掃除機本体の吸引口（吸引側ホース体接続口）を、図３に示すＡ方向から見た図である。
【図９】本発明の実施の形態１に係る電気掃除機本体の吸引口（吸引側ホース体接続口）にホース体の接続部を接続して係止用フックの箇所で切断し、係止用フック周辺を示す側面から見た拡大図である。
【図１０】第３の接続端子と第３の接続端子受けの結線（接続）状態の一例を示す模式断面図である。
【図１１】（ａ）本発明の実施の形態１に係る電気掃除機本体を後側から見た図、（ｂ）図１１（ａ）において、排気口（排気側ホース体接続口）を覆うカバー部材（排気口カバー）を開いて排気口（排気側ホース体接続口）を露出させた状態の図である。
【図１２】（ａ）本発明の実施の形態１に係る電気掃除機本体の排気口（排気側ホース体接続口）にホース体の接続部を接続する少し前の状態を示す斜視図、（ｂ）本発明の実施の形態１に係る電気掃除機本体の排気口（排気側ホース体接続口）にホース体の接続部を接続した状態を示す斜視図である。
【図１３】本発明の実施の形態１に係る電気掃除機本体の排気口（排気側ホース体接続口）にホース体の接続部を接続して係止用フックの箇所で切断した、係止用フック周辺を示す拡大図である。
【図１４】本発明の実施の形態１に係る電気掃除機本体の排気口（排気側ホース体接続口）にホース体の接続部を接続して検知手段の箇所で切断した、検知手段周辺を示す拡大図である。
【図１５】本発明の実施の形態１に係る電気掃除機本体の排気口（排気側ホース体接続口）に、先端部材を取り付けたアタッチメントが接続されたホース体を接続した状態を示す外観斜視図である。
【図１６】本発明の実施の形態１に係る電気掃除機の管体に先端部材を取り付けたアタッチメントを接続した状態の斜視図である。
【図１７】本発明の実施の形態１に係る電気掃除機の先端部材を取り付けたアタッチメントの斜視図である。
【図１８】本発明の実施の形態１に係る電気掃除機の先端部材を取り付けたアタッチメントを伸ばした状態を一方の側面から見た側面図である。
【図１９】本発明の実施の形態１に係る電気掃除機のアタッチメントを構成する内部風路部材の側面図である。
【図２０】本発明の実施の形態１に係る電気掃除機のアタッチメントの内部風路部材を、図１９に示すＥ方向から見た図である。
【図２１】（ａ）本発明の実施の形態１に係る電気掃除機の先端部材単体を側面方向から見た斜視図、（ｂ）本発明の実施の形態１に係る電気掃除機の先端部材単体を植毛が上になるようにして内面が見える方向から見た斜視図である。
【図２２】本発明の実施の形態１に係る電気掃除機の先端部材をアタッチメントから取り外した状態の要部側面図である。
【図２３】（ａ）本発明の実施の形態１に係る電気掃除機の先端部材を取り付けたアタッチメントを伸ばした状態を上方から見た図、（ｂ）本発明の実施の形態１に係る電気掃除機の先端部材を取り付けたアタッチメントを伸ばした状態を他方の側面から見た側面図である。
【図２４】図２３（ｂ）に示す切断線ＦＦで切断した断面図である。
【図２５】図２３（ｂ）の状態から先端部材を回動させた状態を他方の側面から見た側面図である。
【図２６】（ａ）図２３（ａ）に示す切断線ＧＧで切断した要部断面図、（ｂ）図２５（ａ）の状態から先端部材を回動させた状態の要部断面図である。
【図２７】本発明の実施の形態１に係る電気掃除機の先端部材を取り付けたアタッチメントを、図２３（ｂ）に示すＨ方向から見た図である。
【図２８】延長管にアタッチメントを保持した状態の斜視図である。
【図２９】（ａ）本発明の実施の形態２に係る電気掃除機の先端部材を取り付けたアタッチメントを一方の側面から見た側面図、（ｂ）図２９（ａ）の状態から先端部材を１８０度回動させた状態の側面図である。
【図３０】本発明の実施の形態２に係る電気掃除機の先端部材の斜視図である。
【発明を実施するための形態】
【００１３】
実施の形態１
（電気掃除機の構成）
図１は本発明の実施の形態１に係る電気掃除機の概略構成を示す斜視図、図２は本発明の実施の形態１に係る電気掃除機に吸込み具を装着した構成を示す斜視図、図３は本発明の実施の形態１に係る電気掃除機本体の側面図、図４は本発明の実施の形態１に係る電気掃除機本体の中心を前後方向で切断し側面から見た断面図、図５は本発明の実施の形態１に係る電気掃除機の操作部の部分拡大図、図６は本発明の実施の形態１に係る電気掃除機の本体から集塵ユニットを少し引き出した状態を示す斜視図である。
【００１４】
以下、図１から図７により本発明の実施の形態１に係る電気掃除機の構成について説明する。
なお、それぞれの図において、同じ部分または相当する部分には同じ符号を付し、一部の説明を省略することがある。
【００１５】
図１に示すように、１００は本発明の実施の形態1に係る電気掃除機であり、先端部材１６が取り付けられた高所清掃あるいは高所をエアブローするときに使用されるアタッチメント１５と、延長管２と、操作部４及び手元ハンドル部３ａを備える管体３と、接続部５ａと可撓性軟質管５ｂから成るホース体５と、電機掃除機本体６に収容される集塵ユニット８で構成される。
【００１６】
図２は、アタッチメント１５に変えて、吸込み具１が接続された通常の床面等の清掃を行うときの電気掃除機１００の構成である。本発明は、吸込み具１を使用しない構成の電気掃除機についての発明であるので、吸込み具１については簡単に説明しておく。
【００１７】
吸込み具１は、外郭を射出成形で形成された硬質の樹脂ケースで構成し、後述する電動送風機２３の駆動により発生する吸引風により、床面にある塵埃を空気と一緒に吸引するものである。図示しないが、吸込み具１内には床面から塵埃をかきあげるための電動機で駆動される回転ブラシが収容されており、床面側のケースには開口が設けられていて、その開口から回転ブラシの一部が突出して床面に接触するように構成されている。
【００１８】
本発明の実施の形態で使用されるアタッチメント１５は後段で詳しく説明するが、射出成形で形成された硬質の樹脂で通気可能に構成した部品であり、電動送風機２３の駆動により発生する吸引空気により、例えば照明器具等の高所に堆積した塵埃を空気と一緒に吸引、あるいは電動送風機２３の駆動により発生する排出空気により、高所に堆積した塵埃を吹き飛ばすものである。
【００１９】
延長管２もアタッチメント１５と同様、外郭を射出成形で形成された硬質の樹脂で構成した部品であり、図示しない伸縮構造を有し、一端がアタッチメント１５と接続され、他端が管体３と接続されて吸引空気、あるいは排出空気の風路の一部を構成している。
【００２０】
管体３に備えられた手元ハンドル部３ａも、管体３と射出成形で一体に形成された硬質の樹脂で構成されているが、使用者が握りやすくなるように、使用者が握る箇所の一部に軟質の樹脂部品を使用してもよい。
【００２１】
管体３には図５に示すように、電動送風機２３を起動させたり、駆動を停止させたりする入り切りスイッチ４ａ、電動送風機２３の駆動力を強くしたり弱くしたりする出力可変スイッチ４ｂ、吸込み具１を接続しているときには、吸込み具１に収容された回転ブラシを駆動させるための回転ブラシ駆動スイッチ４ｃを備えた操作部４が設けられている。
【００２２】
管体３も吸引空気あるいは排出空気の風路の一部を構成しており、延長管２が接続されている側の他端がホース体５の可撓性軟質管５ｂと接続される。可撓性軟質管５ｂは、中空で蛇腹のような可撓性を有する軟質樹脂部品で構成されている。
【００２３】
電機掃除機本体６の外郭は射出成形で形成された樹脂部品で構成されている。電機掃除機本体６には、電機掃除機本体６を持ち運ぶときに使用されるハンドル９が設けられている。ハンドル９も射出成形で形成された樹脂部品で形成されている。
【００２４】
また、電機掃除機本体６の前側には、図１〜図３に示すように集塵ユニット８を収容する集塵ユニット収容部６ａが設けられている。集塵ユニット収容部６ａには吸引口（吸引側ホース体接続口）７が設けられ、一端が管体３と接続されているホース体５の他端に設けられた接続部５ａを吸引口（吸引側ホース体接続口）７に挿入することで、ホース体５が電機掃除機本体６に接続される。
【００２５】
図３に示すように、使用者が清掃するときに電機掃除機本体６を床面上で取り回しやすくするため、電機掃除機本体６の下面には進行方向を変えることができるキャスタータイプの前輪１０を、電機掃除機本体６の両側面には口径の大きい後輪１１を備えている。
【００２６】
また、図３に示すように、集塵ユニット８は被清掃面に対して傾斜して、集塵ユニット収容部６ａに収容、取り付けられている。集塵ユニット８は、集塵ユニット８側に設けられた図示しない係止部が、電機掃除機本体６側に設けられた図示しない係合部に係止して固定される。係止部は図示しない付勢手段により係止するように付勢されている。
【００２７】
集塵ユニット８は、集塵ユニット８の上部に設けられた係止解除ボタン３８を操作することで、集塵ユニット８側に設けられた図示しない係止部が、電機掃除機本体６側に設けられた図示しない係合部から外れ、取り外し可能な状態となる。
【００２８】
その状態から、集塵ユニット８に設けられた手掛け（指掛け）部８ａに手（指）を掛けて、図３に示す矢印Ｂの方向へ引き出すと、図６に示すように集塵ユニット８は集塵ユニット収容部６ａから取り外される。集塵ユニット８の下方には塵挨を収容しておく集塵室３２が取り付けられている。
【００２９】
図４に示すように、電機掃除機本体６内の後方寄りに電動送風機２３が設けられている。電動送風機２３は、駆動させることにより、前述のようにアタッチメント１５を用い、例えば照明器具等の高所に堆積した塵埃を空気と一緒に吸引する吸引空気を発生させる、あるいは高所に堆積した塵埃を吹き飛ばす排出空気を発生させるものである。
【００３０】
また、電機掃除機本体６内の後方寄りで、電動送風機２３の側方には図示しない制御基板が設けられていて、実装された図示しないマイコンに包含される制御手段は、操作部４に設けられた入り切りスイッチ４ａの操作により、電動送風機２３を起動させたり、電動送風機２３の駆動を停止させたりして、電動送風機２３の動作を制御できる。
【００３１】
電動送風機２３を挟み、制御基板の反対側に電源コードを巻き取り保持する図示しないコードリールが設けられている。電源コードは、図３に示す電源プラグ１２を持って引き出すことにより本体外へ引き出される。本体外へ引き出された電源コードは、図３に示す電源コード巻き取りボタン１３を操作することにより巻き取られ電機掃除機本体６内に保持される。
【００３２】
（ホース体と電機掃除機本体の接続）
次に、図７から図１４によりホース体５の接続部５ａと電気掃除機本体６の吸引口（吸引側ホース体接続口）７及び排気口（排気側ホース体接続口）８１との接続について説明する。
【００３３】
図７（ａ）は本発明の実施の形態１に係る電気掃除機のホース体の接続部を係止用フックの側から見た部分詳細図、図７（ｂ）は本発明の実施の形態１に係る電気掃除機のホース体の接続部を係止用フックが上側にあるときに側方から見た部分詳細図、図７（ｃ）は本発明の実施の形態１に係る電気掃除機のホース体の接続部を本体と連通する側から見た図、図８は本発明の実施の形態１に係る電気掃除機本体の吸引口（吸引側ホース体接続口）を、図３に示すＡ方向から見た図、図９は本発明の実施の形態１に係る電気掃除機本体の吸引口（吸引側ホース体接続口）にホース体の接続部を接続して係止用フックの箇所で切断し、係止用フック周辺を示す側面から見た拡大図、図１０は第３の接続端子と第３の接続端子受けの結線（接続）状態の一例を示す模式断面図、図１１（ａ）は本発明の実施の形態１に係る電気掃除機本体を後側から見た図、図１１（ｂ）は、図１１（ａ）において排気口（排気側ホース体接続口）を覆うカバー部材（排気口カバー）を開いて排気口（排気側ホース体接続口）を露出させた状態の図、図１２（ａ）は本発明の実施の形態１に係る電気掃除機本体の排気口（排気側ホース体接続口）にホース体の接続部を接続する少し前の状態を示す斜視図、図１２（ｂ）は本発明の実施の形態１に係る電気掃除機本体の排気口（排気側ホース体接続口）にホース体の接続部を接続した状態を示す斜視図、図１３は本発明の実施の形態１に係る電気掃除機本体の排気口（排気側ホース体接続口）にホース体の接続部を接続して係止用フックの箇所で切断した、係止用フック周辺を示す拡大図、図１４は本発明の実施の形態１に係る電気掃除機本体の排気口（排気側ホース体接続口）にホース体の接続部を接続して検知手段の箇所で切断した、検知手段周辺を示す拡大図、図１５は本発明の実施の形態１に係る電気掃除機本体の排気口（排気側ホース体接続口）に、先端部材を取り付けたアタッチメントが接続されたホース体を接続した状態を示す外観斜視図、図１６は本発明の実施の形態１に係る電気掃除機の管体に先端部材を取り付けたアタッチメントを接続した状態の斜視図である。
【００３４】
図８に示すように、電気掃除機本体６前側の集塵ユニット収容部６ａに吸引口（吸引側ホース体接続口）７が設けられている。吸引口（吸引側ホース体接続口）７の奥側には、集塵ユニット８の集塵ユニット吸込み口３１と連通する連通口７ａが設けられている。
【００３５】
図７（ａ）〜（ｃ）に示すようにホース体５の接続部５ａには、接続部５ａを吸引口（吸引側ホース体接続口）７に接続したとき確実に接続するための、係止用フック６１が設けられている。
【００３６】
係止用フック６１は図９に示すように、接続部５ａが吸引口（吸引側ホース体接続口）７に接続されたときに吸引口（吸引側ホース体接続口）７に設けられた係合部７ｅと係合している。
【００３７】
また、係止用フック６１は係合部７ｅと係合する方向に、例えばバネのような付勢手段６３により付勢されている。接続部５ａを吸引口（吸引側ホース体接続口）７から抜くときは、付勢手段６３の付勢力に抗して係止解除ボタン６２を押し込むと、係止用フック６１と係合部７ｅとの係合が外れ、接続部５ａが矢印Ｃの方向に引き抜けるようになる。
【００３８】
それから、図８に示すように、吸引口（吸引側ホース体接続口）７の連通口７ａの下方となる位置には、第１の接続端子挿入孔７ｂ、第２の接続端子挿入孔７ｃ、第３の接続端子挿入孔７ｄが設けられている。
【００３９】
さらに、図７（ａ）〜（ｃ）に示すように、ホース体５の接続部５ａには、電気掃除機本体６と電気的に接続するための第１の接続端子５１、第２の接続端子５２、第３の接続端子５３が設けられている。
【００４０】
接続部５ａを吸引口（吸引側ホース体接続口）７に接続したとき、第１の接続端子５１は第１の接続端子挿入孔７ｂに、第２の接続端子５２は第２の接続端子挿入孔７ｃに、第３の接続端子５３は第３の接続端子挿入孔７ｄに、それぞれ挿入される。
【００４１】
第３の接続端子５３が第３の接続端子挿入孔７ｄに挿入された状態を、図１０を用いて詳しく説明する。第３の接続端子５３が第３の接続端子挿入孔７ｄに挿入されると、第３の接続端子挿入孔７ｄの奥に設けられた第３の接続端子受け７ｆと接続される。
【００４２】
第３の接続端子受け７ｆは、第３の接続端子５３を圧入して保持する構造のもので、第３の接続端子５３が抜き差し可能である。図示しないが、同様に第１の接続端子５１が第１の接続端子挿入孔７ｂに挿入されると、第１の接続端子挿入孔７ｂの奥に設けられた第１の接続端子受けと接続され、第２の接続端子５２が第２の接続端子挿入孔７ｃに挿入されると、第２の接続端子挿入孔７ｃの奥に設けられた第２の接続端子受けと接続される。
【００４３】
第１の接続端子受け及び第２の接続端子受けも、第３の接続端子受け７ｆと同様、それぞれ第１の接続端子５１、第２の接続端子５２を圧入して保持する構造のもので、抜き差し可能である。
【００４４】
第１の接続端子受けは、図示しない接続線で制御基板の信号配線と接続されている。信号配線は通常、マイコンを動作させる電圧と同じレベルであり、例えば５Ｖの通電配線となる。
【００４５】
第１の接続端子５１は操作部４の入り切りスイッチ４ａ、出力可変スイッチ４ｂ、回転ブラシ駆動スイッチ４ｃと接続されていて、第１の接続端子５１が第１の接続端子受けと接続されると、入り切りスイッチ４ａ、出力可変スイッチ４ｂ、回転ブラシ駆動スイッチ４ｃが制御基板の信号配線と結線された状態となる。
【００４６】
第２の接続端子受けは、図示しない接続線で制御基板の基準電位配線と接続されている。基準電位とは通常０Ｖであり、基準電位配線は、信号配線線、電力配線との共通配線となっている。
【００４７】
第２の接続端子５２は操作部４の入り切りスイッチ４ａ、出力可変スイッチ４ｂ、回転ブラシ駆動スイッチ４ｃと接続されていて、第２の接続端子５２が第２の接続端子受けと接続されると、入り切りスイッチ４ａ、出力可変スイッチ４ｂ、回転ブラシ駆動スイッチ４ｃが制御基板の基準電位配線と結線された状態となる。
【００４８】
第１の接続端子５１が第１の接続端子受けと接続され、第２の接続端子５２が第２の接続端子受けと接続されると、入り切りスイッチ４ａにより電動送風機２３の入り切りが行え、出力可変スイッチ４ｂにより電動送風機２３の出力の可変が行えるようになる。
【００４９】
第３の接続端子受けは、図示しない接続線で制御基板の電力配線と接続されている。本発明の実施の形態の電気掃除機１００では、商用電源１００Ｖでの使用となるので電力配線は１００Ｖ線である。
【００５０】
第３の接続端子５３は、本発明のアタッチメント１５が接続されている場合、電力配線に接続されず電力配線として使用されない。電力配線として使用されるのは吸込み具１が接続されている場合で、操作部４の回転ブラシ駆動スイッチ４ｃを経由して、吸込み具１に収容された回転ブラシを駆動する回転ブラシ用の電動機と接続され、第３の接続端子５３が第３の接続端子受け７ｆと接続されると、回転ブラシ用の電動機が電力供給を受けられる制御基板の電力配線と電力供給配線が結線された状態となる。
【００５１】
第２の接続端子５２が第２の接続端子受けと接続され、第３の接続端子５３が第３の接続端子受け７ｆと接続されると、回転ブラシ駆動スイッチ４ｃにより回転ブラシ用の電動機を稼働させ、回転ブラシを駆動させることができる。
【００５２】
本発明のアタッチメント１５が接続されている場合、アタッチメント１５には回転ブラシ用の電動機がないので、回転ブラシ駆動スイッチ４ｃは電気的に接続されておらず、操作しても入力は受け付けない。
【００５３】
次に、図１１（ｂ）に示すように電気掃除機本体６の後側に排気口（排気側ホース体接続口）８１が設けられている。排気口（排気側ホース体接続口）８１は、吸引口（吸引側ホース体接続口）７と同様、ホース体５の接続部５ａが接続可能である。
【００５４】
排気口（排気側ホース体接続口）８１の奥側には、吸引された空気（吸引風）が排気空気として排出される本体排気口２８が設けられている。本体排気口２８は、ホース体５が吸引口（吸引側ホース体接続口）７に接続されているときは、カバー部材（排気口カバー）７１で覆われている。
【００５５】
カバー部材（排気口カバー）７１には通気孔７１ａが設けられており、カバー部材（排気口カバー）７１で覆われた状態でも排気空気が電気掃除機本体６から排出できるようになっている。
【００５６】
カバー部材（排気口カバー）７１は、図示しない係合部で電気掃除機本体６と係止されていて、カバー係止解除レバー７２を上方向（床面を下とした場合）に引くと係合が外れて開くことができる。
【００５７】
カバー係止解除レバー７２は、図示しない例えばバネのような付勢手段で、床面を下とした場合、下向きに付勢されている。カバー部材（排気口カバー）７１は、カバー係止解除レバー７２を上方向に引く流れで、図１１（ｂ）に示すように上方向に開くようになっている。
【００５８】
また、図１１（ｂ）に示すように、排気口（排気側ホース体接続口）８１の本体排気口２８の上方となる位置には、第４の接続端子挿入孔８１ａ、第５の接続端子挿入孔８１ｂ、第６の接続端子挿入孔８１ｃが設けられている。
【００５９】
ホース体５の接続部５ａを排気口（排気側ホース体接続口）８１に接続するときは、吸引口（吸引側ホース体接続口）７に接続する場合と１８０度向きが回転した状態となり、図１２（ａ）に示すように係止用フック６１、係止解除ボタン６２が上に向いていて、そのまま挿入すると図１２（ｂ）に示すように接続される。
【００６０】
そして、図１５に示す後述する先端部材１６が取り付けられたアタッチメント１５と、延長管２と、操作部４及び手元ハンドル部３ａを備える管体３と接続された可撓性軟質管５ｂと、さらに可撓性軟質管５ｂと接続部５ａを介して電気掃除機本体６の後側の排気口（排気側ホース体接続口）８１に接続された状態となり、高所でエアブロー機能が使用できる状態となる。
【００６１】
なお、高所でのエアブローを想定し、図１５に示すように延長管２にアタッチメント１５を接続した状態で説明したが、図１６に示すように延長管２を接続せず、操作部４及び手元ハンドル部３ａを備える管体３に直にアタッチメント１５を接続してもエアブローとして使用可能である。
【００６２】
図１３に示すように、係止用フック６１は接続部５ａが排気口（排気側ホース体接続口）８１に接続されたときに、排気口（排気側ホース体接続口）８１に設けられた係合部８１ｄと係合している。
【００６３】
係止用フック６１は係合部８１ｄと係合する方向に、付勢手段６３により付勢されているので、接続部５ａを排気口（排気側ホース体接続口）８１から抜くときは、付勢手段６３の付勢力に抗して係止解除ボタン６２を押し込むと、係止用フック６１と係合部８１ｄとの係合が外れるので、接続部５ａを矢印Ｄの方向に引き抜けるようになる。
【００６４】
接続部５ａを排気口（排気側ホース体接続口）８１に接続したとき、第１の接続端子５１は第４の接続端子挿入孔８１ａに、第２の接続端子５２は第５の接続端子挿入孔８１ｂに、第３の接続端子５３は第６の接続端子挿入孔８１ｃに、それぞれ挿入される。
【００６５】
図示しないが、第４の接続端子挿入孔８１ａ及び第５の接続端子挿入孔８１ｂの奥には、第１の接続端子挿入孔７ｂと第２の接続端子挿入孔７ｃ及び第３の接続端子挿入孔７ｄと同様に、接続端子を圧入して保持する構造の接続端子受けが設けられている。
【００６６】
第４の接続端子挿入孔８１ａの奥には第４の接続端子受け、第５の接続端子挿入孔８１ｂの奥には第５の接続端子受けがもうけられており、第１の接続端子５１が第４の接続端子挿入孔８１ａに挿入されると、第４の接続端子挿入孔８１ａの奥に設けられた第４の接続端子受けと接続され、第２の接続端子５２が第５の接続端子挿入孔８１ｂに挿入されると、第５の接続端子挿入孔８１ｂの奥に設けられた第５の接続端子受けと接続される。
【００６７】
第４の接続端子受け及び第５の接続端子受けも、吸引口（吸引側ホース体接続口）７の第１の接続端子受けと第２の接続端子受け及び第３の接続端子受け７ｆと同様、それぞれ第１の接続端子５１、第２の接続端子５２を圧入して保持する構造のもので抜き差し可能である。
【００６８】
第４の接続端子受けは、図示しない接続線で制御基板の信号（５Ｖ）配線と接続されている。前述のように第１の接続端子５１は操作部４の入り切りスイッチ４ａ、出力可変スイッチ４ｂ、回転ブラシ駆動スイッチ４ｃと接続されていて、第１の接続端子５１が第４の接続端子受けと接続されると、入り切りスイッチ４ａ、出力可変スイッチ４ｂ、回転ブラシ駆動スイッチ４ｃが制御基板の信号配線と結線された状態となる。
【００６９】
第２の接続端子受けは、図示しない接続線で制御基板の基準電位（０Ｖ）配線と接続されている。第２の接続端子５２は操作部４の入り切りスイッチ４ａ、出力可変スイッチ４ｂ、回転ブラシ駆動スイッチ４ｃと接続されていて、第２の接続端子５２が第５の接続端子受けと接続されると、入り切りスイッチ４ａ、出力可変スイッチ４ｂ、回転ブラシ駆動スイッチ４ｃが制御基板の基準電位配線（第２の基準電位配線）と結線された状態となる。
【００７０】
第１の接続端子５１が第４の接続端子受けと接続され、第２の接続端子５２が第５の接続端子受けと接続されると、入り切りスイッチ４ａにより電動送風機２３の入り切りが行え、出力可変スイッチ４ｂにより電動送風機２３の出力の可変が行えるようになる。
【００７１】
第６の接続端子挿入孔８１ｃの奥には、他の接続端子挿入孔と異なり、接続端子受けが設けられていない。つまり、ホース体５の接続部５ａを排気口（排気側ホース体接続口）８１に接続したとき、第３の接続端子５３は制御基板と電気的に接続されていない状態となる。
【００７２】
しかし、図１５に示したように、ホース体５の接続部５ａを排気口（排気側ホース体接続口）８１に接続してエアブロー機能を使用する場合、吸込み具１は接続されないので、吸込み具１に収容されている回転ブラシを駆動する必要がない。
【００７３】
よって、ホース体５の接続部５ａを排気口（排気側ホース体接続口）８１に接続した場合は、第３の接続端子５３を制御基板と電気的に接続する必要がなく、第６の接続端子挿入孔８１ｃの奥には、制御基板と電気的に接続された接続端子受けが設けられていない。
【００７４】
なお、ここでは第３の接続端子５３を制御基板と電気的に接続しないため、制御基板と電気的に接続された接続端子受けを設けない旨、説明したが、制御基板と電気的に接続されていない接続端子受け（第６の接続端子受け）を設けてもよい。
【００７５】
第３の接続端子５３は、ホース体５の接続部５ａを排気口（排気側ホース体接続口）８１に接続した状態になったとき、制御基板と電気的接続をしない代わりに、制御基板と図示しない配線で接続された、図１４に示す検知手段７３に検知されるようになっている。
【００７６】
検知手段７３は、ホース体５の接続部５ａが排気口（排気側ホース体接続口）８１に接続されたか否かを検知するもので、第６の接続端子挿入孔８１ｃの奥に取り付けられている。
【００７７】
検知手段７３は、例えばヒンジ付きのマイクロスイッチであり、ホース体５の接続部５ａが排気口（排気側ホース体接続口）８１に接続され、第３の接続端子５３が第６の接続端子挿入孔８１ｃに挿入された状態で、マイクロスイッチのヒンジを押すようになっている。
【００７８】
マイクロスイッチのヒンジが押されることで、マイクロスイッチがオンして、制御基板に内包された制御手段がホース体５の接続部５ａが排気口（排気側ホース体接続口）８１に接続されたことを検知している。
【００７９】
第３の接続端子５３は、ホース体５の接続部５ａが排気口（排気側ホース体接続口）８１に接続されたとき、検知手段７３が接続されたか否かを検知する重要な端子であるので、図７（ａ）に示すように、係止用フック６１に最も近い位置に配置されている。これにより第３の接続端子５３は確実に保持され、安定した検知が可能となる。
【００８０】
これは、接続部５ａを吸引口（吸引側ホース体接続口）７に接続したときも同様で、第３の接続端子５３は、ホース体５の接続部５ａを吸引口（吸引側ホース体接続口）に接続したときは制御基板の電力（１００Ｖ）配線と接続されるので、第３の接続端子５３は１００Ｖの電力配線との接続が確実に保持される。
【００８１】
このように、ホース体５の接続部５ａを吸引口（吸引側ホース体接続口）７、排気口（排気側ホース体接続口）８１のどちらに接続しても、操作部４の入り切りスイッチ４ａで電動送風機２３を入り切りすることができ、出力可変スイッチ４ｂで電動送風機２３の出力を可変することができる。
【００８２】
よって、ホース体５の接続部５ａを排気口（排気側ホース体接続口）８１に接続しエアブローとして使用するとき、吹き飛ばす対象に合わせて排出空気の強さを可変できるので、使用者の使い勝手が向上する。
【００８３】
（空気の流れ、本体動作）
次に、図４を使い空気の流れ、動作を説明する。なお、空気の流れ、動作はホース体５が電機掃除機本体６の前側、吸引口（吸引側ホース体接続口）７に接続された場合と、後述する電機掃除機本体６の後側、排気口（排気側ホース体接続口）８１に接続された場合の、それぞれについて説明する。それから、あらかじめ断っておくが、便宜上、ホース体５は図４から省略している。
【００８４】
まず、ホース体５が吸引口（吸引側ホース体接続口）７に接続された場合、言い換えると清掃を行う場合であるが、管体３に設けられた操作部４の入り切りスイッチ４ａを操作すると、電動送風機２３が駆動する。
【００８５】
それにより、例えば高所にある塵埃を空気と一緒に、後述するアタッチメント１５の第２の開口１５ｃから吸引すると、塵埃を含んだ空気が延長管２、管体３、ホース体５を経由して連通口７ａと連通した集塵ユニット吸込み口３１から集塵ユニット８内に吸引される。
【００８６】
集塵ユニット８内に吸引された塵埃を含んだ空気は、旋回部３３で塵埃を遠心分離しながら上方から下方へ旋回して下りていく。その過程で塵埃排出口ａ３４から比較的大きい塵埃を集塵室３２内に排出し、さらに旋回部３３の逆円錐状となっている下端に向けて旋回して、小さめの細かい塵埃を塵埃排出口ｂ３５から集塵室３２内に排出する。
【００８７】
塵埃が分離された空気は旋回部３３内を上昇し、排気筒３６に設けられた複数の小孔を通過し集塵ユニット排出口３７から本体吸込み口２５に吸引され、電機掃除機本体６側に吸引される。
【００８８】
電機掃除機本体６内に吸引された空気は、集塵ユニット８で分離しきれなかった微細な塵埃を含んでいる可能性があるので、微細な塵埃で電動送風機２３が不具合を起こさないよう、電動送風機２３に吸引される前に吸気側フィルター２６を通過させ微細な塵埃を捕集する。吸気側フィルター２６はＨＥＰＡフィルターという、塵埃捕集効率の高いフィルターで構成されている。
【００８９】
吸気側フィルター２６を通過し電動送風機２３に吸引された後、電動送風機２３から排出された空気は、電機掃除機本体６外へ排出される前に、さらに排気側フィルター２７を通過する。
【００９０】
排気側フィルター２７はＵＬＰＡフィルターという、ＨＥＰＡフィルターよりも塵埃捕集効率が高いフィルターで構成されている。これは電機掃除機本体６外へ排出される空気をよりきれいにするためのものである。
【００９１】
排気側フィルター２７を通過した空気は、電機掃除機本体６の底面付近等を通過して本体排気口２８を通過、さらに本体排気口２８を覆うように設けられたカバー部材（排気口カバー）７１の通気孔７１ａ（図１１ａ参照）を通過して電機掃除機本体６外へ排出される。
【００９２】
次に、ホース体５が排気口（排気側ホース体接続口）８１に接続された場合であるが、吸引口（吸引側ホース体接続口）７に接続された場合と同様、前述のように管体３に設けられた操作部４の入り切りスイッチ４ａが電気的に接続されているので、入り切りスイッチ４ａを操作すると電動送風機２３が駆動する。
【００９３】
電動送風機２３の駆動により、ホース体５が接続されていない吸引口（吸引側ホース体接続口）７から直接、空気が吸引される。吸引口（吸引側ホース体接続口）７は床面から離れた位置にあるので、空気中に浮遊する程度の微細な塵挨は吸引することもあるが、基本的にはきれいな空気が吸引される。
【００９４】
吸引口（吸引側ホース体接続口）７から吸引された空気は、塵挨を分離する必要はないが、清掃を行う場合と同様に吸引口（吸引側ホース体接続口）７と連通した連通口７ａ、連通口７ａと連通した集塵ユニット吸込み口３１から集塵ユニット８内に吸引される。
【００９５】
その後の空気の流れも、吸引口（吸引側ホース体接続口）７に接続された場合と同様であるので詳しい説明は省略するが、集塵ユニット８内を通過し、電機掃除機本体６を通過して本体排気口２８に到達する。
【００９６】
本体排気口２８に到達した空気は、排出空気として排気口（排気側ホース体接続口）８１から接続されたホース体５に送られて、図１５に示す管体３、延長管２を通過し後述するアタッチメント１５の第２の開口１５ｃから排出され、エアブローとして塵挨等を吹き飛ばすことができる。
【００９７】
（アタッチメントの構成）
次に、図１７から図２７により、本発明の実施の形態１の電気掃除機に使用されるアタッチメント１５とアタッチメント１５に取り付けられる先端部材１６の構成について詳しく説明する。
【００９８】
図１７は本発明の実施の形態１に係る電気掃除機の先端部材を取り付けたアタッチメントの斜視図、図１８は本発明の実施の形態１に係る電気掃除機の先端部材を取り付けたアタッチメントを伸ばした状態を一方の側面から見た側面図、図１９は本発明の実施の形態１に係る電気掃除機のアタッチメントを構成する内部風路部材の側面図、図２０は本発明の実施の形態１に係る電気掃除機のアタッチメントの内部風路部材を、図１９に示すＥ方向から見た図、図２１（ａ）は本発明の実施の形態１に係る電気掃除機の先端部材単体を側面方向から見た斜視図、図２１（ｂ）は本発明の実施の形態１に係る電気掃除機の先端部材単体を植毛が上になるようにして内面が見える方向から見た斜視図、図２２は本発明の実施の形態１に係る電気掃除機の先端部材をアタッチメントから取り外した状態の要部側面図、図２３（ａ）は本発明の実施の形態１に係る電気掃除機の先端部材を取り付けたアタッチメントを伸ばした状態を上方から見た図、図２３（ｂ）は本発明の実施の形態１に係る電気掃除機の先端部材を取り付けたアタッチメントを伸ばした状態を他方の側面から見た側面図、図２４は図２３（ｂ）に示す切断線ＦＦで切断した断面図、図２５は図２３（ｂ）の状態から先端部材を回動させた状態を他方の側面から見た側面図、図２６（ａ）は図２３（ａ）に示す切断線ＧＧで切断した要部断面図、図２６（ｂ）は図２６（ａ）の状態から先端部材を回動させた状態の要部断面図、図２７は本発明の実施の形態１に係る電気掃除機の先端部材を取り付けたアタッチメントを、図２３（ｂ）に示すＨ方向から見た図、図２８は延長管にアタッチメントを保持した状態の斜視図である。
【００９９】
図１７に示すように、本発明の実施の形態１の電気掃除機に使用されるアタッチメント１５は、一端に図示しない第１の開口が設けられ、他端に後述する第２の開口１５ｃ（図２５（ａ）、図２５（ｂ）、図２６参照）が設けられていて、第１の開口と第２の開口１５ｃとを連通する風路（図２４参照）を有しており、第２の開口１５ｃ側に先端部材１６が取り付けられている。
【０１００】
アタッチメント１５の第１の開口は、図１、図２に示すように延長管２、あるいは図１６に示すように管体３と接続される開口である。アタッチメント１５の第２の開口１５ｃは、後述するが塵挨を含んだ空気の吸引、あるいは塵挨等を吹き飛ばすエアブローの排出空気を排出する開口である。
【０１０１】
アタッチメント１５は伸縮可能であり、図１７に示す基本の状態から、図１８に示すように伸ばすことができる。アタッチメント１５は、基本の状態（図１７に示す状態）で主に風路を構成する内部風路部材１５ａと、内部風路部材１５ａの外郭の外側に摺動可能に設けられた外部風路部材１５ｂとで構成される。
【０１０２】
前述のように基本の状態（図１７に示す状態）では内部風路部材１５ａが主に風路となっているが、外部風路部材１５ｂを摺動させてアタッチメント１５を伸ばすと、外部風路部材１５ｂが延長された風路を形成するようになっている。
【０１０３】
前述の第１の開口は外部風路部材１５ｂに形成されており、第２の開口１５ｃは内部風路部材１５ａに形成されている。内部風路部材１５ａは基本の状態（図１７に示す状態）では、その大部分が外部風路部材１５ｂに収容された状態であるが、第２の開口１５ｃ寄りの一部は外部風路部材１５ｂに収容されず外部に露出していて、その外郭が先端部材１６の取り付け箇所となっている。
【０１０４】
つまり、アタッチメント１５は内部風路部材１５ａと外部風路部材１５ｂで構成され、第１の開口は外部風路部材１５ｂに形成されていて、外部風路部材１５ｂの第１の開口は延長管２、あるいは管体３と接続される。
【０１０５】
また、第２の開口１５ｃは内部風路部材１５ａに形成されていて、外部風路部材１５ｂに収容されず外部に露出した第２の開口１５ｃ寄りの外郭の一部に先端部材１６が取り付けられている。
【０１０６】
なお、本発明の実施の形態１の電気掃除機では、先端部材１６をアタッチメント１５の内部風路部材１５ａに取り付けた例で説明したが、この構成に限定されるものではない。第１の開口を内部風路部材１５ａに形成して延長管２、あるいは管体３と接続するようにし、第２の開口１５ｃを外部風路部材１５ｂに形成して、外部風路部材１５ｂの第２の開口１５ｃよりの外郭に先端部材１６を取り付け、外部風路部材１５ｂに形成した第２の開口１５ｃから塵挨を含んだ空気の吸引、あるいは塵挨等を吹き飛ばすエアブローの排出空気を排出するように構成することも可能である。
【０１０７】
内部風路部材１５ａを図１９に示すＥ方向から見ると、図２０に示すように第２の開口１５ｃが端部に設けられている。内部風路部材１５ａの側面部分には、空気の通路と外部空間を連通させる開口や穴は設けられていない。内部風路部材１５ａの開口は、長手方向の一端に設けられた第２の開口１５ｃと、外部風路部材１５ｂに収容される側の他端に設けられた図示しない開口だけである。
【０１０８】
内部風路部材１５ａの第２の開口１５ｃ寄りの位置の外郭には、回動軸１７が設けられている。回動軸１７は後述する先端部材１６を回動可能に支持するためのものである。回動軸１７は内部風路部材１５ａの長手方向に対し、図２０に示すように直交する方向の外側両側にそれぞれ突出している。
【０１０９】
また、内部風路部材１５ａの第２の開口１５ｃ寄りの位置の外郭には、図１９に示すように回動軸１７の軸の中心と同心である円弧状のリブ１９が設けられている。円弧状リブ１９の役割については後段で説明する。
【０１１０】
さらに、内部風路部材１５ａの第２の開口１５ｃ寄りの位置の外郭には、回動軸１７が突出する方向と同じ方向の外側両側にそれぞれに突出部１８が設けられている。突出部１８の役割についても後段で説明する。
【０１１１】
アタッチメント１５の内部風路部材１５ａに取り付けられる先端部材１６は、図２１（ａ）、（ｂ）に示すように第１の側壁１６ａと第２の側壁１６ｂと側壁結合部１６ｃで形成される。先端部材１６は、内面が対向するように配置された第１の側壁１６ａと第２の側壁１６ｂが、側壁結合部１６ｃを介して結合したＵ字状をしている。
【０１１２】
先端部材１６は、ＡＢＳ（アクリロニトリルブタジエンスチレン）やＰＰ（ポリプロピレン）等のように、ある程度柔軟性を有する樹脂で形成されており、第１の側壁１６ａと第２の側壁１６ｂは側壁結合部１６ｃを介してＵ字状に結合しているので、第１の側壁１６ａと第２の側壁１６ｂを側壁結合部１６ｃとの結合している箇所から撓ませることが可能である。
【０１１３】
第１の側壁１６ａと第２の側壁１６ｂには、内部風路部材１５ａの回動軸１７にそれぞれ嵌め合わされる軸受け穴１６ｄが設けられている。内部風路部材１５ａの回動軸１７に軸受け穴１６ｄを嵌め合わせるときは、まず、第１の側壁１６ａと第２の側壁１６ｂと側壁結合部１６ｃでＵ字状に形成された先端部材１６の第１の側壁１６ａと第２の側壁１６ｂに荷重をかけて、第１の側壁１６ａと第２の側壁１６ｂの内壁が内部風路部材１５ａの回動軸１７の最先端よりも拡がるように外側方向（図２４に示すＪ１とＪ２方向）に撓ませる。
【０１１４】
撓ませた状態から内部風路部材１５ａに向かって、図２２に示す矢印方向に回動軸１７に軸受け穴１６ｄを嵌め合わさる位置まで先端部材１６を被せるように移動させ、回動軸１７と軸受け穴１６ｄが重なった位置で荷重をかけることをやめると撓みが元に戻り、回動軸１７に軸受け穴１６ｄが嵌め合わさった状態で抜けない状態となり、内部風路部材１５ａに先端部材１６が回動可能に支持されて取り付けられた状態となる。
【０１１５】
前述のように回動軸１７が設けられている内部風路部材１５ａの第２の開口１５ｃ寄りの位置の外郭（図２２参照）には、空気の通路と外部空間を連通させる開口や穴は設けられていない。
【０１１６】
よって、回動軸１７が開口や穴等の影響により変形したり、撓んだりすることがないので、先端部材１６を安定して回動させることができる。また、回動軸１７が変形したり、撓んだりすることがないので、先端部材１６を取り付けるときに先端部材１６の第１の側壁１６ａと第２の側壁１６ｂを撓ませて取り付けることになる。
【０１１７】
先端部材１６を取り外すときは、同様に第１の側壁１６ａと第２の側壁１６ｂの内壁が内部風路部材１５ａの回動軸１７の最先端よりも拡がるように外側方向に撓ませて外せばよい。
【０１１８】
図２１に示すように、先端部材１６の第１の側壁１６ａと第２の側壁１６ｂには、係合穴１６ｅ、１６ｆがそれぞれ設けられている。係合穴１６ｅ、１６ｆは内部風路部材１５ａの第２の開口１５ｃ寄りの位置の外郭に設けられた前述の突出部１８と係合し、先端部材１６の回動を規制するためのものである。
【０１１９】
係合穴１６ｅ、１６ｆの穴の中心は、先端部材１６が内部風路部材１５ａに取り付けられた状態で、回動軸１７の中心から一定の同じ距離となる同心円（図２５に仮想円９０として示す）上に設けられている。
【０１２０】
図２５に示す仮想円９０は、図１９に示す仮想円９１と重なる円である。仮想円９１は回動軸１７の中心から一定の距離にある突出部１８の中心を通っている。よって、当然ながら、係合穴１６ｅ、１６ｆは先端部材１６が内部風路部材１５ａに取り付けられた状態で、突出部１８と同心円上に位置している。
【０１２１】
突出部１８と係合穴１６ｅが係合した状態が図２３（ｂ）に示す状態であり、この状態に規制されている位置が先端部材１６の基本の位置である。
【０１２２】
先端部材１６の側壁結合部１６ｃには、凸状の指掛け部１６ｋ、１６ｍが設けられている。図２３（ｂ）に示す状態から、図２６（ａ）に示す指掛け部１６ｋに指を掛けてＫ方向に力を入れると、図２６（ｂ）に示すように先端部材１６が回動する。
【０１２３】
先端部材１６の指掛け部１６ｋに指を掛けて力を入れると、図２４に示す、突出部１８に係合穴１６ｅが係合した状態から第１の側壁１６ａがＪ１方向に、第２の側壁１６ｂがＪ２方向にそれぞれ撓み、突出部１８と係合穴１６ｅの係合が外れ、先端部材１６が回動軸１７を中心に回動する。指掛け部１６ｋ、１６ｍにより、指の力が掛かりやすく、また力を入れる位置が分かりやすくなるので、先端部材１６を回動させ易い。
【０１２４】
回動する先端部材１６は、突出部１８に係合穴１６ｆが係合して回動が規制される。突出部１８に係合穴１６ｆが係合して回動が規制されている状態が、図２５、図２６（ｂ）に示す状態である。
【０１２５】
このように先端部材１６を回動させることで、例えばエアブローとして使用するときにアタッチメント１５を接続しているとき、図２６（ａ）に示すようなアタッチメント１５の長手方向に直進するように吹き出している排出空気の吹き出し方向を、図２６（ｂ）に示すように曲げて吹き出すようにすることができる。これにより、高所で塵挨等を吹き飛ばすときに排出空気の吹き出し方向を変えることができ、使用者の使い勝手が向上する。
【０１２６】
なお、本発明の実施の形態では同心円（仮想円９０）上に係合穴１６ｅと１６ｆの２つを設けたが、さらに係合穴を追加してもよい。たとえば係合穴１６ｅと１６ｆの同心円（仮想円９０）上の間の辺りに設ければ、先端部材１６が図２６（ａ）に示す位置から図２６（ｂ）に示す位置まで回動する途中の位置で回動を規制することができ、それにより排出空気の吹き出し方向が複数選択できるようになるので、使用者の使い勝手がさらに向上する。
【０１２７】
前述のように、先端部材１６が取り付けられる内部風路部材１５ａには、空気の通路と外部空間を連通させる開口や穴は第２の開口１５ｃ以外設けられていないので、図２６（ａ）に示すように流れる排出空気は全て第２の開口１５ｃからアタッチメント１５の長手方向に直進するように吹き出され、空気漏れがなく効率的に排出空気を利用できる。
【０１２８】
図２６（ａ）に示すように流れる排出空気は、実際には側壁結合部１６ｃの内壁に当たって流れが乱れるが、突出部１８に係合穴１６ｆが係合して回動が規制された図２６（ｂ）に示す状態のとき、側壁結合部１６ｃの内壁に設けられた図２１（ｂ）に示す規制リブ１６ｇと図２０に示す第２の開口上端１５ｄが、図２６（ｂ）に示すように接し、アタッチメント１５と先端部材１６の間にできる空間４０を塞ぐ。
【０１２９】
これにより、アタッチメント１５と先端部材１６の間にできる空間４０に排出空気が通気することを規制でき、空気漏れを抑制できるので、図２６（ａ）に示すような方向に、空気漏れを抑制して排出空気を吹き出すことができる。
【０１３０】
先端部材１６は、図２６（ｂ）に示す指掛け部１６ｍに指を掛けてＬ方向に力を入れると、図２５に示す状態から図２３（ｂ）に示す状態に戻すことができる。
【０１３１】
次に、図２６（ａ）に示すように先端部材１６が基本の位置の位置にあるとき、アタッチメント１５の内部風路部材１５ａの外郭上方と側壁結合部１６ｃの内壁との間にできる空間内に収まるように円弧状リブ１９が設けられている。
【０１３２】
円弧状リブ１９は、図１９に示すように回動軸１７の中心から一定の距離にある仮想円９２の一部となる円弧である。円弧状リブ１９は、内部風路部材１５ａの外郭上方と側壁結合部１６ｃの内壁との間にできる空間に指が入らないように規制している。
【０１３３】
円弧状リブ１９がない場合、内部風路部材１５ａの外郭上方と側壁結合部１６ｃの内壁との間にできる空間に指を入れて、なおかつ先端部材１６を回動させてしまうと、指を挟み怪我をする恐れがある。円弧状リブ１９は、指を挟んで怪我をすることがないよう、内部風路部材１５ａの外郭上方と側壁結合部１６ｃの内壁との間の空間に指を入れさせないように規制するためのものである。
【０１３４】
また、円弧状リブ１９は回動軸１７の中心から一定の距離にある円の一部となる円弧であるので、先端部材１６が回動軸１７を中心に回動するとき、図２６（ａ）、（ｂ）に示すように規制リブ１６ｇが円弧状リブ１９に沿って回動するので、先端部材１６が安定して回動できる。
【０１３５】
次に、図２６（ａ）に示すように、第２の開口１５ｃ側となる先端部材１６の端部に植毛１６ｊが設けられている。植毛１６ｊは図２１、図２７に示すように、第２の開口１５ｃ側となる先端部材１６の端部、詳しくは、前述のように第１の側壁１６ａと第２の側壁１６ｂが、側壁結合部１６ｃを介して結合したＵ字状の端部（第２の開口側）１６ｈに複数設けられている。植毛１６ｊは材質など特に限定されるものではなく、馬毛、その他動物性の毛、ナイロンが使用可能であり、長さや硬さも適宜選択可能である。
【０１３６】
植毛１６ｊは、高所等の清掃やエアブローを行うとき、吸引で吸えなかったりエアブローで吹き飛ばせなかったりする、こびりついた塵挨等をかきとるためのものである。この植毛１６ｊによりこびりついた塵挨等をかきとることで、かきとった塵挨を吸引したり吹き飛ばしたりすることができるので、清掃性向上、エアブローの効果向上が図れる。
【０１３７】
複数の植毛１６ｊは図２７に示すように、先端部材１６のＵ字状の端部（第２の開口側）１６ｈに、第２の開口１５ｃを囲むように、第２の開口１５ｃと重ならないように設けられている。よって、図２３（ｂ）に示す、先端部材１６が基本の位置にある状態でエアブローとして排出空気を吹き出すときは、第２の開口１５ｃからアタッチメント１５の長手方向に直進するように吹き出される排出空気は、植毛１６ｊに邪魔されることなく効率的に使用できる。
【０１３８】
また、図２３（ｂ）に示す、先端部材１６が基本の位置にある状態で通常の掃除機１００としてとして使用するときは、第２の開口１５ｃから吸引される吸引空気に含まれる塵挨は、植毛１６ｊに絡まりにくくなる。
【０１３９】
先端部材１６が取り付けられたアタッチメント１５は、使用されないときには図２８に示すように延長管２に設けられた保持片２ａに保持片係合部１５ｅを係合させて保持されるので置き場所に困ることがなく、また、どこかに置き忘れることも防ぐことができる。
【０１４０】
実施の形態２．
（先端部材の形状）
本発明の実施の形態２に係る電気掃除機は、実施の形態１に係る電気掃除機と先端部材の形状が異なり、それ以外は本発明の実施の形態１に係る電気掃除機と同様の構成である。
【０１４１】
よって、ここでは実施の形態１に係る電気掃除機と異なる先端部材の形状について図２９によって説明し、それ以外の説明は省略する。図２９（ａ）は本発明の実施の形態２に係る電気掃除機の先端部材を取り付けたアタッチメントを一方の側面から見た側面図、図２９（ｂ）は図２９（ａ）の状態から先端部材を１８０度回動させた状態の側面図、図３０は本発明の実施の形態２に係る電気掃除機の先端部材の斜視図である。
【０１４２】
本発明の実施の形態２に係る電気掃除機のアタッチメント１５に取り付けられる先端部材９６は、図３０に示すように第１の側壁９６ａと第２の側壁９６ｂと側壁結合部９６ｃで形成される。先端部材９６は、内面が対向するように配置された第１の側壁９６ａと第２の側壁９６ｂが、側壁結合部９６ｃを介して結合したＵ字状をしている。
【０１４３】
先端部材９６の第１の側壁９６ａと第２の側壁９６ｂは、図２９に示すように側面方向から見て長方形をしていてアタッチメント１５の長手方向と並行方向が長方形の長辺となっている。
【０１４４】
先端部材９６の第２の側壁９６ｂには軸受け穴９６ｄが設けられている。図示していないが、第２の側壁９６ｂと対向する第１の側壁９６ａにも軸受け穴９６ｄが設けられている。第１の側壁９６ａの軸受け穴９６ｄは、第２の側壁９６ｂを側面方向から見て投影面で重なる位置に設けられている。
【０１４５】
本発明の実施の形態２に係る電気掃除機のアタッチメント１５の形状は、実施の形態１に係る電気掃除機のアタッチメント１５と突出部１８が無いことのみ異なり、その他は同じで回動軸１７が設けられている。
【０１４６】
なお、本発明の実施の形態２では第１の側壁９６ａと第２の側壁９６ｂが長方形である例で説明しているが、これに限定されるものではなく正方形であってもよい。
【０１４７】
先端部材９６のアタッチメント１５への取り付けは、実施の形態１の先端部材１６の取り付けと同様に、第１の側壁９６ａと第２の側壁９６ｂと側壁結合部９６ｃでＵ字状に形成された先端部材９６の第１の側壁９６ａと第２の側壁９６ｂに荷重をかけて、第１の側壁９６ａと第２の側壁９６ｂの内壁がアタッチメント１５の回動軸１７の最先端よりも拡がるように外側方向に撓ませる。
【０１４８】
撓ませた状態からアタッチメント１５の回動軸１７と軸受け穴９６ｄが重なるように被せで荷重をかけることをやめると撓みが元に戻り、回動軸１７に軸受け穴９６ｄが嵌め合わさった状態で抜けない状態となり、アタッチメント１５に先端部材９６が回動可能に支持されて取り付けられた状態となる。
【０１４９】
この状態を維持する規制手段等については特に説明しないが、図２９（ａ）に示す状態が先端部材９６の基本の位置であり、解除可能な規制手段によりこの位置に維持される。先端部材９６は、この維持から規制を解除し図２９（ｂ）に示すように、基本の位置から１８０度回動させることができ、この位置で解除可能な規制手段により維持することが可能である。
【０１５０】
図２９（ａ）、（ｂ）に示すように長方形の短辺側である端部９６ｈ１には複数の植毛９６ｊ１が設けられている。端部９６ｈ１と対向するもう１つの短辺側である端部９６ｈ２には複数の植毛９６ｊ２が設けられている。植毛９６ｊ１と植毛９６ｊ２は長さが異なっている。
【０１５１】
先端部材９６の基本の位置では、図２９（ａ）に示すようにアタッチメント１５の延長線上の端部は先端部材９６の端部９６ｈ１となり、端部９６ｈ１に設けられた複数の短い植毛９６ｊ１が使用可能となっている。
【０１５２】
先端部材９６を１８０度回動させると、図２９（ｂ）に示すようにアタッチメント１５の延長線上の端部は端部９６ｈ２となり、端部９６ｈ２に設けられた複数の長い植毛９６ｊ２が使用可能となる。
【０１５３】
図示しないが先端部材９６の基本の位置において、複数の短い植毛９６ｊ１は、先端部材９６のＵ字状の端部９６ｈ１に、第２の開口１５ｃを囲むように、第２の開口１５ｃと重ならないように設けられている。よって、先端部材９６が基本の位置にある状態でエアブローとして排出空気を吹き出すときは、第２の開口１５ｃからアタッチメント１５の長手方向に直進するように吹き出される排出空気は、複数の短い植毛９６ｊ１に邪魔されることなく効率的に使用できる。
【０１５４】
同様に図示しないが先端部材９６を１８０度回動した位置において、複数の長い植毛９６ｊ２は、先端部材９６のＵ字状の端部９６ｈ２に、第２の開口１５ｃを囲むように、第２の開口１５ｃと重ならないように設けられている。よって、先端部材９６が基本の位置から１８０度回動した位置にある状態でエアブローとして排出空気を吹き出すときは、第２の開口１５ｃからアタッチメント１５の長手方向に直進するように吹き出される排出空気は、植毛９６ｊ２に邪魔されることなく効率的に使用できる。
【０１５５】
このように先端部材９６を１８０度回動させることで、短い植毛９６ｊ１と長い植毛９６ｊ２を用途、状況により使い分けることができ、使用者に植毛の長さの種類を複数提供できるので、使い勝手の向上が図れる。
【０１５６】
なお、植毛９６ｊ１及び植毛９６ｊ２は材質など特に限定されるものではなく、馬毛、その他動物性の毛、ナイロンが使用可能であり、長さや硬さも適宜選択可能である。例えば、植毛９６ｊ１と植毛９６ｊ２を同じ長さにして、植毛９６ｊ２を植毛９６ｊ１よりも柔らかい材質となるように異なる硬さとして、植毛９６ｊ１とそれよりも柔らかい植毛９６ｊ２を用途、状況により使い分けるようにすることができ、使用者に植毛の硬さの種類を複数提供できるので、使い勝手の向上が図れる。
【０１５７】
当然ながら、植毛９６ｊ１と植毛９６ｊ２が異なる長さ、かつ異なる硬さとして用途、状況により使い分けるようにしても、使用者に植毛の硬さの種類を複数提供できるので、使い勝手の向上が図れる。
【符号の説明】
【０１５８】
１  吸込み具、２  延長管、２ａ  保持片、３  管体、３ａ  手元ハンドル部、４  操作部、４ａ  入り切りスイッチ、４ｂ  出力可変スイッチ、４ｃ  回転ブラシ駆動スイッチ、５  ホース体、５ａ  接続部、５ｂ  可撓性軟質管、６  電気掃除機本体、６ａ  集塵ユニット収容部、７  吸引口（吸引側ホース体接続口）、７ａ  連通口、７ｂ  第１の接続端子挿入孔、７ｃ  第２の接続端子挿入孔、７ｄ  第３の接続端子挿入孔、７ｅ  係合部、７ｆ  第３の接続端子受け、８  集塵ユニット（集塵部）、８ａ  手掛け（指掛け）部、９  ハンドル、１０  前輪、１１  後輪、１２  電源プラグ、１３  電源コード巻き取りボタン、１５  アタッチメント、１５ａ  内部風路部材、１５ｂ  外部風路部材、１５ｃ  第２の開口、１５ｄ  第２の開口上端、１５ｅ  保持片係合部、１６  先端部材、１６ａ  第１の側壁、１６ｂ  第２の側壁、１６ｃ  側壁結合部、１６ｄ  軸受け穴、１６ｅ  係合穴、１６ｆ  係合穴、１６ｇ  規制リブ、１６ｈ  端部（第２の開口側）、１６ｊ  植毛、１６ｋ  指掛け部、１６ｍ  指掛け部、１７  回動軸、１８  突出部、１９  円弧状リブ、２３  電動送風機、２５  本体吸込み口、２６  吸気側フィルター、２７  排気側フィルター、２８  本体排気口、３１  集塵ユニット吸込み口、３２  集塵室、３３  旋回部、３４  塵埃排出口ａ、３５  塵埃排出口ｂ、３６  排気筒、３７  集塵ユニット排出口、３８  係止解除ボタン、４０  空間、５１  第１の接続端子、５２  第２の接続端子、５３  第３の接続端子、６１  係止用フック、６２  係止解除ボタン、６３  付勢手段、７１  カバー部材（排気口カバー）、７１ａ  通気孔、７２  カバー係止解除レバー、７３  検知手段、８１  排気口（排気側ホース体接続口）、８１ａ  第４の接続端子挿入孔、８１ｂ  第５の接続端子挿入孔、８１ｃ  第６の接続端子挿入孔、８１ｄ  係合部、９０  仮想円、９１  仮想円、９２  仮想円、９６  先端部材、９６ａ  第１の側壁、９６ｂ  第２の側壁、９６ｃ  側壁結合部、９６ｄ  軸受け穴、９６ｈ  端部、９６ｊ１  植毛、９６ｊ２  植毛、１００  電気掃除機。
【図１】
2020124646.tif 000003
【図２】
2020124646.tif 000004
【図３】
2020124646.tif 000005
【図４】
2020124646.tif 000006
【図５】
2020124646.tif 000007
【図６】
2020124646.tif 000008
【図７】
2020124646.tif 000009
【図８】
2020124646.tif 000010
【図９】
2020124646.tif 000011
【図１０】
2020124646.tif 000012
【図１１】
2020124646.tif 000013
【図１２】
2020124646.tif 000014
【図１３】
2020124646.tif 000015
【図１４】
2020124646.tif 000016
【図１５】
2020124646.tif 000017
【図１６】
2020124646.tif 000018
【図１７】
2020124646.tif 000019
【図１８】
2020124646.tif 000020
【図１９】
2020124646.tif 000021
【図２０】
2020124646.tif 000022
【図２１】
2020124646.tif 000023
【図２２】
2020124646.tif 000024
【図２３】
2020124646.tif 000025
【図２４】
2020124646.tif 000026
【図２５】
2020124646.tif 000027
【図２６】
2020124646.tif 000028
【図２７】
2020124646.tif 000029
【図２８】
2020124646.tif 000030
【図２９】
2020124646.tif 000031
【図３０】
2020124646.tif 000032